(57)【要約】【課題】  回路規模や製造コストの増大を回避しつつ、パネルに誤動作が発生するのを抑制できる電気光学装置、電気光学装置の駆動方法、および電子機器を提供する。【解決手段】  液晶装置１０は、電源ＶＤＤＸＹがオンされた後、３回の垂直走査期間が経過してから、ＶＣＯＭを１水平走査期間ごとに交互に変位させる動作を開始させる。つまり、その動作を、３回の垂直走査期間を待って開始させる。タイミング発生回路１１のＲＯＭ５１には、初期立ち上げ用デジタルデータと通常時用デジタルデータが格納されている。同発生回路１１のＣＰＵ５０は、電源がオンにされた時、ＲＯＭ５１から初期立ち上げ用デジタルデータを読み出し、これらのデータによりＶＣＯＭを変位させる動作を開始させるタイミングを決定する。その後、ＣＰＵ５０は、ＲＯＭ５１から通常時用デジタルデータを読み出し、これらのデータによりＶＣＯＭを変位させる動作を繰り返す。【選択図】      図３
2006195121.tif 000002
【特許請求の範囲】
【請求項１】
複数の走査線と複数のデータ線の交差に応じてマトリクス状に配置された複数の第１の電極と、前記第１の電極に対向して設けられた第２の電極と、前記第１の電極と前記第２の電極との間に挟持された電気光学物質と、前記第１の電極の電位を制御するスイッチング素子とを備え、
前記第２の電極の電位を所定期間ごとに交互に変位させ、前記電気光学物質を介して各第１の電極に正極性の映像信号と負極性の映像信号を所定期間ごとに交互に書き込む電気光学装置において、
電源がオンにされてから一定期間後に、前記第２の電極の電位を所定期間ごとに交互に変位させる動作を開始させる対向電極電源制御手段を備えることを特徴とする電気光学装置。
【請求項２】
請求項１に記載の電気光学装置において、
前記対向電極電源制御手段は、前記電源がオンにされた後、３回の垂直走査期間が経過してから前記動作を開始させることを特徴とする電気光学装置。
【請求項３】
請求項１に記載の電気光学装置において、
前記対向電極電源制御手段は、前記電源が完全に立ち上がった後、スタートパルスの３発目以降に前記動作を開始させることを特徴とする電気光学装置。
【請求項４】
請求項３に記載の電気光学装置において、
前記対向電極電源制御手段は、前記電源がオンにされた後、４回の垂直走査期間が経過してから前記動作を開始させることを特徴とする電気光学装置。
【請求項５】
請求項１〜４のいずれか一つに記載の電気光学装置において、
前記対向電極電源制御手段は、前記電源がオンにされた時には、予めメモリに格納された初期立ち上げ用デジタルデータにより前記動作を開始させるタイミングを決定するとともに、その後は、予めメモリに格納された通常時用デジタルデータにより前記第２の電極の電位を所定期間ごとに交互に変位させることを特徴とする電気光学装置。
【請求項６】
複数の走査線と複数のデータ線の交差に応じてマトリクス状に配置された複数の第１の電極と、前記第１の電極に対向して設けられた第２の電極と、前記第１の電極と前記第２の電極との間に挟持された電気光学物質と、前記第１の電極の電位を制御するスイッチング素子とを備え、
前記第２の電極の電位を所定期間ごとに交互に変位させ、前記電気光学物質を介して各第１の電極に正極性の映像信号と負極性の映像信号を所定期間ごとに交互に書き込む電気光学装置の駆動方法において、
電源がオンにされてから一定期間後に、前記第２の電極の電位を所定期間ごとに交互に変位させる動作を開始させることを特徴とする電気光学装置の駆動方法。
【請求項７】
請求項６に記載の電気光学装置の駆動方法において、
前記電源がオンにされた後、３回の垂直走査期間が経過してから前記動作を開始させることを特徴とする電気光学装置の駆動方法。
【請求項８】
請求項６に記載の電気光学装置の駆動方法において、
前記電源が完全に立ち上がった後、スタートパルスの３発目以降に前記動作を開始させることを特徴とする電気光学装置の駆動方法。
【請求項９】
請求項８に記載の電気光学装置の駆動方法において、
前記電源がオンにされた後、４回の垂直走査期間が経過してから前記動作を開始させることを特徴とする電気光学装置の駆動方法。
【請求項１０】
請求項６〜９のいずれか一つに記載の電気光学装置の駆動方法において、
前記電源がオンにされた時には、予めメモリに格納された初期立ち上げ用デジタルデータにより前記動作を開始させるタイミングを決定し、その後は、予めメモリに格納された通常時用デジタルデータにより前記第２の電極の電位を所定期間ごとに交互に変位させることを特徴とする電気光学装置の駆動方法。
【請求項１１】
請求項１〜５のいずれか一つに記載の電気光学装置を備えたことを特徴とする電子機器。
【発明の詳細な説明】
【技術分野】
【０００１】
本発明は、液晶装置などの電気光学装置、電気光学装置の駆動方法、および電子機器に関する。
【背景技術】
【０００２】
従来の電気光学装置として、マトリクス状に配置された画素ごとに薄膜トランジスタが設けられた液晶パネルを有するアクティブマトリクス型液晶装置が知られている。このような液晶装置では、電源がオンにされた後におけるスタートパルスの１発目、つまり最初の垂直走査期間は不安定な状態であり、走査線駆動回路のシストレジスタの動作も不定となり、複数の走査線を順に選択する正常な走査を行えない。この状態で、各画素の画素電極に液晶を介して対向する対向電極の電位を所定期間ごとに交互に反転させる、いわゆるコモン振り駆動を開始すると、電源電圧にノイズが生じ液晶パネルが誤動作する原因となる。
【０００３】
この誤動作につきより詳しく説明すると、液晶装置では、ＧＮＤが確定された状態で、電源が立ち上がって安定した後に、パルス系の交流信号、例えば、対向電極の電位を所定期間ごとに交互に反転させるための信号が入るのが理想である。しかし、液晶装置では、ドライバＩＣから電源ＩＣに信号を送り、電源ＩＣから電源電圧を生成するような構成では、電源が立ち上がるよりも前に、垂直走査期間の最初（１フレームの最初）にスタートパルスが供給されてしまう。この場合、スタートパルス自体は容量が小さいので電源電圧に影響を与えることはないが、対向電極のような電源との結合容量の大きいＡＣラインを電源の立ち上がり直後に入れると、電源電圧が影響を受け、ノイズが生じて表示パネルの誤動作を招く。
【０００４】
従来、このような誤動作を避けるため、電源電圧の立ち上がりから一画面当たりの全走査信号の出力が終了するまでの期間、リセット信号を出力する電源リセット回路を設けた表示パネル駆動用のコントローラドライバＩＣが知られている（例えば、特許文献１参照）。つまり、この従来技術では、シフトレジスタにリセット回路を設けることにより、電源立ち上がり後から１垂直走査期間で正常な走査を完了して、通常の動作に入るという対策を取っていた。
【特許文献１】特開平７―２１０１２０号公報
【発明の開示】
【発明が解決しようとする課題】
【０００５】
ところで、上記特許文献１に記載された従来技術では、上記リセット信号を出力するリセット回路が必要となるので、その分回路規模が大きくなるとともに、製造コストが増大するという問題があった。
【０００６】
本発明は、このような従来の問題点に着目してなされたものであり、その目的は、回路規模や製造コストの増大を回避しつつ、パネルに誤動作が発生するのを抑制できる電気光学装置、電気光学装置の駆動方法、および電子機器を提供することにある。
【課題を解決するための手段】
【０００７】
本発明における電気光学装置は、複数の走査線と複数のデータ線の交差に応じてマトリクス状に配置された複数の第１の電極と、前記第１の電極に対向して設けられた第２の電極と、前記第１の電極と前記第２の電極との間に挟持された電気光学物質と、前記第１の電極の電位を制御するスイッチング素子とを備え、前記第２の電極の電位を所定期間ごと
に交互に変位させ、前記電気光学物質を介して各第１の電極に正極性の映像信号と負極性の映像信号を所定期間ごとに交互に書き込む電気光学装置において、電源がオンにされてから一定期間後に、前記第２の電極の電位を所定期間ごとに交互に変位させる動作を開始させる対向電極電源制御手段を備えることを要旨とする。
【０００８】
これによれば、電源がオンにされてから一定期間後に、第２の電極の電位を所定期間ごとに交互に変位させる動作を開始させるので、パネルに誤動作が生じない。また、対向電極電源制御手段は、複数の走査線を駆動する走査線駆動回路や複数のデータ線を駆動するデータ線駆動回路の動作タイミングを制御するタイミング発生回路等の制御回路に元々あるＣＰＵで構成でき、既存の回路をそのまま使える。そのため、このようなパネルに誤動作が起きないようにするのに、上記従来技術のようにリセット信号を出力するリセット回路が不要である。したがって、回路規模や製造コストの増大を回避しつつ、パネルに誤動作が発生するのを抑制することができる。ここで、「所定期間」は例えば１水平走査期間や１フレーム期間等の期間である。
【０００９】
この電気光学装置において、前記対向電極電源制御手段は、前記電源がオンにされた後、３回の垂直走査期間が経過してから前記動作を開始させることを要旨とする。
パネルに誤動作が起きないようにするには、上記走査線駆動回路のシフトレジスタによる正常な走査が完了することを確定してから、第２の電極（対向電極）の電位を所定期間ごとに交互に変位させる動作、いわゆるコモン振り駆動を開始する必要がある。
【００１０】
これによれば、電源がオンにされた直後の１回目の垂直走査期間と、電源が完全に立ち上がった後、スタートパルスが不安定となる垂直走査期間と、さらに、上記シフトレジスタが正常な走査を行う３回目の垂直走査期間とが経過してから、第２の電極の電位を所定期間ごとに交互に変位させる動作を開始させるので、パネルに誤動作が生じない。また、このような誤動作が起きないようにするのに、上記従来技術のようにリセット信号を出力するリセット回路が不要である。したがって、回路規模や製造コストの増大を回避しつつ、パネルに誤動作が発生するのを抑制することができる。
【００１１】
この電気光学装置において、前記対向電極電源制御手段は、前記電源が完全に立ち上がった後、スタートパルスの３発目以降に前記動作を開始させることを要旨とする。
ここで、「スタートパルスの１発目」とは、電源が完全に立ち上がった後の、１個目のスタートパルスの立ち上がりから次の立ち上がりまでの期間、つまり、１回目の垂直走査期間をいう。したがって、「スタートパルスの３発目以降」とは、電源が完全に立ち上がった後の、３個目のスタートパルスの立ち上がりから次の立ち上がりまでの期間をいう。パネルに誤動作が起きないようにするには、上記シフトレジスタによる正常な走査が完了することを確定してから、第２の電極の電位を所定期間ごとに交互に変位させる動作、いわゆるコモン振り駆動を開始する必要がある。そのためには、電源が完全に立ち上がった後、スタートパルスが不安定となるスタートパルスの１発目と、上記シフトレジスタが正常な走査を行うスタートパルスの２発目の期間は、第２の電極の電位を所定期間ごとに交互に変位させる動作を行わないようにする。
【００１２】
これによれば、電源が完全に立ち上がった後、スタートパルスの３発目以降に前記動作を開始させるので、パネルに誤動作が生じない。また、このような誤動作が起きないようにするのに、上記従来技術のようにリセット信号を出力するリセット回路が不要である。したがって、回路規模や製造コストの増大を回避しつつ、パネルに誤動作が発生するのを抑制することができる。
【００１３】
この電気光学装置において、前記対向電極電源制御手段は、前記電源がオンにされた後、４回の垂直走査期間が経過してから前記動作を開始させることを要旨とする。
電源が完全に立ち上がった後、スタートパルスの３発目以降に前記動作を開始させるためには、３回の垂直走査期間が必要である。また、電源の立ち上がり時間は７〜８ｍｓ程度必要となる。「電源のオン」という定義は、電源が完全に立ち上がった状態を示すわけではないので、電源がオンにされてから完全に立ち上がるまでの電源の立ち上がり時間も第２の電極の電位を所定期間ごとに交互に変位させる動作の待機時間に含めるのが好ましい。フレーム周波数を例えば４０Ｈｚとすると、１回の垂直走査期間（１フレーム期間）は２５ｍｓ程度となる。
【００１４】
これによれば、電源がオンにされた後、４回の垂直走査期間（４Ｖ）が経過してから、つまり４Ｖ待機してから前記動作を開始させるようにしている。電源の立ち上がり時間（７〜８ｍｓ程度）にマージンを持たせて同時間の分を１回の垂直走査期間（例えば２５ｍｓ程度）として、電源がオンされた後、４回の垂直走査期間が経過してから前記動作を開始させることにより、パネルに誤動作が発生するのをさらに抑制することができる。これにより、より高品質な表示が可能な電気光学装置を実現できる。
【００１５】
この電気光学装置において、前記対向電極電源制御手段は、前記電源がオンにされた時には、予めメモリに格納された初期立ち上げ用デジタルデータにより前記動作を開始させるタイミングを決定するとともに、その後は、予めメモリに格納された通常時用デジタルデータにより前記第２の電極の電位を所定期間ごとに交互に変位させることを要旨とする。
【００１６】
これによれば、初期立ち上げ用デジタルデータと通常時用デジタルデータを予めメモリに格納しておけばよく、特別な回路の追加なしに、パネルに誤動作が発生するのを抑制することができ、高品質な表示が可能な電気光学装置を実現できる。
【００１７】
本発明における電気光学装置の駆動方法は、複数の走査線と複数のデータ線の交差に応じてマトリクス状に配置された複数の第１の電極と、前記第１の電極に対向して設けられた第２の電極と、前記第１の電極と前記第２の電極との間に挟持された電気光学物質と、前記第１の電極の電位を制御するスイッチング素子とを備え、前記第２の電極の電位を所定期間ごとに交互に変位させ、前記電気光学物質を介して各第１の電極に正極性の映像信号と負極性の映像信号を所定期間ごとに交互に書き込む電気光学装置の駆動方法において、電源がオンにされてから一定期間後に、前記第２の電極の電位を所定期間ごとに交互に変位させる動作を開始させることを要旨とする。
【００１８】
これによれば、回路規模や製造コストの増大を回避しつつ、パネルに誤動作が発生するのを抑制することができる。
この電気光学装置の駆動方法において、前記電源がオンにされた後、３回の垂直走査期間が経過してから前記動作を開始させることを要旨とする。
【００１９】
これによれば、回路規模や製造コストの増大を回避しつつ、パネルに誤動作が発生するのを抑制することができる。
この電気光学装置の駆動方法において、前記電源が完全に立ち上がった後、スタートパルスの３発目以降に前記動作を開始させることを要旨とする。
【００２０】
これによれば回路規模や製造コストの増大を回避しつつ、パネルに誤動作が発生するのを抑制することができる。
この電気光学装置の駆動方法において、前記電源がオンにされた後、４回の垂直走査期間が経過してから前記動作を開始させることを要旨とする。
【００２１】
これによれば、パネルに誤動作が発生するのをさらに抑制することができ、より高品質
な表示が可能な電気光学装置を実現できる。
この電気光学装置の駆動方法において、前記電源がオンにされた時には、予めメモリに格納された初期立ち上げ用デジタルデータにより前記動作を開始させるタイミングを決定し、その後は、予めメモリに格納された通常時用デジタルデータにより前記第２の電極の電位を所定期間ごとに交互に変位させることを要旨とする。
【００２２】
これによれば、初期立ち上げ用デジタルデータと通常時用デジタルデータを予めメモリに格納しておけばよく、特別な回路の追加なしに、パネルに誤動作が発生するのを抑制することができ、高品質な表示が可能な電気光学装置を実現できる。
【００２３】
本発明における電子機器は、上記電気光学装置を備えたことを要旨とする。これによれば、表示品質の高い表示が可能となる電子機器を実現できる。
【発明を実施するための最良の形態】
【００２４】
以下、本発明を具体化した各実施形態を図面に基づいて説明する。
[第１実施形態]
図１は本発明の第１実施形態に係る液晶装置のうち外部回路を除いた液晶表示パネルを示しており、図２は同パネルの断面を一部破断して示しており、そして、図３は電気光学装置としての液晶装置の電気的構成を概略的に示している。
【００２５】
本実施形態の液晶装置１０は、多結晶シリコン薄膜トランジスタを用いて周辺駆動回路を内蔵したアクティブマトリクス型液晶装置である。また、この液晶装置１０は、各画素の画素電極（第１の電極）と液晶を介して対向する第２の電極としての対向電極の電位（コモン電位ＶＣＯＭ）を低い電位と高い電位との間で所定期間としての１水平走査期間ごとに反転させるコモン振り駆動を行い、各画素に正極性の映像信号と負極性の映像信号を交互に書き込むように構成されている。
【００２６】
液晶装置１０は液晶表示パネル２１を有する。この液晶表示パネル２１は、図１および図２に示すように素子基板２２と対向基板２３を備え、これら２つの基板の間に例えばＴＮ（Twisted Nematic）型の液晶２４が封入されている。素子基板２２と対向基板２３は
、スペーサ（図示省略）を含むシール材２７によって一定の間隔を保って、互いの電極形成面が対向するように貼り合わされ、その間に液晶２４が封入されている。シール材２７は、対向基板２３の周縁に沿って形成されており、液晶２４を封入するための開口部２７ａを有している。この開口部２７ａは、液晶２４の封入後に封止材２８で封止されている。
【００２７】
素子基板２２には、図２及び図３に示すように、Ｙ方向に配列された複数の走査線Ｙ１〜Ｙｎと、Ｘ方向に配列された複数のデータ線Ｘ１〜Ｘｍと、走査線Ｙ１〜Ｙｎとデータ線Ｘ１〜Ｘｍの交差に応じてマトリクス状に配置された複数の画素２５とが形成されている。また、素子基板２２には、各画素２５ごとに設けたスイッチング素子としての多結晶シリコン薄膜トランジスタ（Thin Film Transistor：以下「ＴＦＴ」という）２６が形成されている。各ＴＦＴ２６のゲートは走査線Ｙ１〜Ｙｎの１つに、そのソースはデータ線Ｘ１〜Ｘｍの一つに、そして、そのドレインは対応する１つの画素２５の画素電極２９にそれぞれ接続されている。各ＴＦＴ２６を介して各画素２５に映像信号が書き込まれるようになっている。複数の走査線Ｙ１〜Ｙｎと、複数のデータ線Ｘ１〜Ｘｍと、複数の画素２５とにより、表示領域としての画素マトリクス（図３参照）が構成されている。また、素子基板２２には、対向基板２３側との接続端子である銀点３８と、外部回路から各種信号が入力される入力端子３９、Ｘドライバ用信号線４０、映像信号線４１、Ｙドライバ用信号線４２などが形成されている。
【００２８】
各画素２５の画素電極２９は、図２および図３に示すように、対向基板２３側に設けた対向電極としての１つの共通電極３０と液晶２４を介してそれぞれ対向している。また、各画素２５は、矩形状の画素電極２９と共通電極３０の間の液晶２４で構成される電気光学物質としての液晶容量３１と、この液晶容量３１と並列に接続され、同液晶容量のリークを低減するための蓄積容量３２とを備えている。こうして、各画素２５の画素回路が、ＴＦＴ２６、画素電極２９、共通電極３０、液晶容量３１、および蓄積容量３２などで構成されている。そして、各画素２５の画素回路は、ＴＦＴ２６がオン（導通状態）になると、電圧信号に変換された各画素の映像信号がＴＦＴ２６を介して液晶容量３１と蓄積容量３２とに書き込まれ、ＴＦＴ２６がオフ（非導通状態）になると、これらの容量に電荷が保持されるようになっている。
【００２９】
液晶装置１０は、図１および図３に示すように、素子基板２２上に形成された前述の周辺駆動回路として、走査線Ｙ１〜Ｙｎを駆動するための走査線駆動回路（Ｙドライバ）３３と、データ線Ｘ１〜Ｘｍを駆動するためのデータ線駆動回路（Ｘドライバ）３４とを備える。これらの駆動回路は、素子基板２２上に、薄膜トランジスタ形成技術を用いて形成されている。また、液晶装置１０は、外部回路として、図３に示すようにタイミング発生回路１１、画像処理回路１２、および電源回路１３を備える。
【００３０】
タイミング発生回路１１は、同期信号およびクロック信号を、走査線駆動回路３３およびデータ線駆動回路３４に供給して、これらの回路の動作タイミングを制御する。タイミング発生回路１１から走査線駆動回路３３には、同期信号としてのスタートパルス（転送開始信号）ＤＹ、クロック信号ＹＣＫおよび反転クロック信号ＹＣＫＢが供給される。タイミング発生回路１１からデータ線駆動回路３４には、同期信号としての転送開始信号ＤＸ、クロック信号ＸＣＫおよび反転クロック信号ＸＣＫＢが供給される。また、タイミング発生回路１１は、上記同期信号およびクロック信号に同期して画像処理回路１２の動作タイミングを制御する。そして、タイミング発生回路１１は、上記同期信号およびクロック信号に同期して上記コモン振り駆動を行うために、図３に示すＶＣＯＭ端子４６に供給する電圧（コモン電位ＶＣＯＭ）を、１水平走査期間ごとに低い電位と高い電位との間で切り換えるようになっている。
【００３１】
画像処理回路１２は、入力されるビデオ信号やテレビ信号等の映像信号を処理して、タイミング発生回路１１により制御される動作タイミングでデータ線駆動回路３４へ供給する。本実施形態では、画像処理回路１２からデータ線駆動回路３４へ供給される映像信号は、各画素の画像データを含む。各画素の画像データは、各画素の明るさを、例えば８ビットの２進数で表わすデジタル階調データであり、０〜２５５の２５６段階の階調値をとる。
【００３２】
電源回路１３は、各種の電源電圧を生成して出力する。図３では、各種の電源電圧のうち、走査線駆動回路３３，データ線駆動回路３４、および液晶表示パネル２１の各電気部品へ供給されるパネルロジック電源ＶＤＤＸＹのみを示している。
【００３３】
走査線駆動回路３３は、垂直走査期間の最初（１フレームの最初）に供給されるスタートパルスＤＹ、クロック信号ＹＣＫおよび反転クロック信号ＹＣＫＢにより走査信号を順次に生成して出力することで、走査線Ｙ１〜Ｙｎを順に選択するようになっている。走査線Ｙ１〜Ｙｎが順に選択されて各走査線に走査信号が供給されると、選択された各走査線に接続された全てのＴＦＴ２６がオンになるように構成されている。なお、本明細書中において、「１水平走査期間」は、順に選択される走査線Ｙ１〜Ｙｎの一つに接続された全ての画素２５の容量に映像信号を書き込むことで１ライン分の表示がなされる期間をいう。
【００３４】
データ線駆動回路３４は、それぞれ図示を省略したシフトレジスタ、サンプリング回路、およびデジタル／アナログ変換器等を備える。
シフトレジスタは、各水平走査期間の最初に供給される転送開始信号ＤＸ、クロック信号ＸＣＫおよび反転クロック信号ＸＣＫＢにより選択信号を順に生成して出力するようになっている。サンプリング回路は、データ線Ｘ１〜Ｘｍごとに一つずつ設けられた複数のスイッチを備える。各スイッチは、例えば、Ｈレベルの選択信号がゲートに入力されるとそれぞれ開くトランスミッションゲートで構成されている。
【００３５】
このような構成を有するデータ線駆動回路３４は、各水平走査期間において、データ線Ｘ１〜Ｘｍにそれぞれ設けたサンプリング回路の各スイッチに、第１列目のデータ線Ｘ１のスイッチから順にＨレベルの選択信号が入力されると、サンプリング回路の各スイッチが順に開く。これにより、各データ線Ｘ１〜Ｘｍおよび各画素２５のＴＦＴ２６を介して各画素に映像信号が書き込まれるようになっている。
【００３６】
そして、液晶装置１０の特徴は、パネルロジック電源（以下、単に電源という。）ＶＤＤＸＹがオンにされた後、３回の垂直走査期間が経過してから、共通電極３０の電位（コモン電位ＶＣＯＭ）を１水平走査期間ごとに交互に変位させる動作を開始させる点にある。つまり、本例の液晶装置１０では、コモン電位ＶＣＯＭを１水平走査期間ごとに交互に変位させる動作を、３回の垂直走査期間を待って（３Ｖ待って）開始させる点にある。
【００３７】
このような動作を行うため、図３に示すタイミング発生回路１１のＲＯＭ５１には、図４（ａ）〜（ｃ）に示す初期立ち上げ用デジタルデータと、図５（ａ），（ｂ）に示す通常時用デジタルデータとが格納されている。このＲＯＭ５１には、図示を省略したバスを介してＣＰＵ５０が接続されている。
【００３８】
このＣＰＵ５０は、電源ＶＤＤＸＹがオンにされた時、ＲＯＭ５１から図４（ａ）〜（ｃ）に示す初期立ち上げ用デジタルデータを読み出し、これらのデータによりコモン電位ＶＣＯＭを１水平走査期間ごとに交互に変位させる動作を開始させるタイミングを決定する。その後、ＣＰＵ５０は、ＲＯＭ５１から図５（ａ），（ｂ）に示す通常時用デジタルデータを読み出し、これらのデータによりコモン電位ＶＣＯＭを１水平走査期間ごとに交互に変位させる動作を繰り返すようになっている。
【００３９】
初期立ち上げ用デジタルデータは、図４（ａ）に示すスタートパルスと、同図（ｂ）に示すロジック電源制御パルスと、同図（ｃ）に示す対向電極電源制御パルスとを含む。
図４（ａ）に示すスタートパルスは、垂直同期期間（垂直走査期間）に合わせて同期間の最初に「１」を出力し、その後は次の垂直走査期間まで、クロック信号ＹＣＫに同期したタイミングで「０」を出力する２値のデータとなっている。図４（ｂ）に示すロジック電源制御パルスは、電源ＶＤＤＸＹがオンにされた後、クロック信号ＹＣＫに同期したタイミングで、電源ＶＤＤＸＹがオンにされていることを認識させるための信号「１」を出力するデータである。また、図４（ｃ）に示す対向電極電源制御パルスは、電源ＶＤＤＸＹがオンにされた後、３回の垂直走査期間が経過するまではクロック信号ＹＣＫに同期したタイミングで「０」を出力し、同期間が経過した時点に（３Ｖ待機してから）前記動作を開始させるための信号「１」を出力する２値のデータである。つまり、この対向電極電源制御パルスは、電源ＶＤＤＸＹがオンにされた後、３Ｖ待ってコモン電位ＶＣＯＭを１水平走査期間ごとに交互に変位させる動作を開始させるための信号「１」を出力するようになっている。
【００４０】
一方、通常時用デジタルデータは、図５（ａ）に示すスタートパルスと、図５（ｂ）に示す対向電極電源制御パルスとを含む。図５（ａ）に示すスタートパルスは、垂直走査期間に合わせて同期間の最初に「１」を出力し、その後は次の垂直走査期間まで、クロック
信号ＹＣＫに同期したタイミングで「０」を出力する２値のデータとなっている。図５（ｂ）に示す対向電極電源制御パルスは、電源ＶＤＤＸＹがオンにされた後、クロック信号ＹＣＫに同期したタイミングで、コモン電位ＶＣＯＭを１水平走査期間ごとに交互に変位させる動作を開始させるための信号「１」を出力するデータとなっている。
【００４１】
次の液晶装置１０の動作を説明する。
タイミング発生回路１１のＣＰＵ５０は、電源ＶＤＤＸＹがオンにされると、ＲＯＭ５１から図４（ａ）〜（ｃ）に示す初期立ち上げ用デジタルデータを読み込み。電源ＶＤＤＸＹがオンにされると直ぐに、ＲＯＭ５１から読み込んだスタートパルスは「１」となるので、ＣＰＵ５０は、走査線駆動回路３３へスタートパルスＤＹを出力する。これにより、走査線駆動回路３３は、そのスタートパルスＤＹ、クロック信号ＹＣＫおよび反転クロック信号ＹＣＫＢにより走査信号を順次に生成して出力することで、走査線Ｙ１〜Ｙｎを順に選択する。走査線Ｙ１〜Ｙｎが順に選択されて各走査線に走査信号が供給されると、選択された各走査線に接続された全てのＴＦＴ２６がオンになるように構成されている。
【００４２】
データ線駆動回路３４は、走査線Ｙ１〜Ｙｎが順に選択される各水平走査期間において、データ線Ｘ１〜Ｘｍにそれぞれ設けたサンプリング回路の各スイッチに、第１列目のデータ線Ｘ１のスイッチから順にＨレベルの選択信号が入力されると、サンプリング回路の各スイッチが順に開く。これにより、各データ線Ｘ１〜Ｘｍおよび各画素２５のＴＦＴ２６を介して各画素に映像信号が書き込まれるようになっている。
【００４３】
こうして電源ＶＤＤＸＹがオンにされた後における１回目の垂直走査期間が終了すると、図４（ａ）に示す初期立ち上げ用デジタルデータのスタートパルスは再び「１」となるので、走査線Ｙ１〜Ｙｎが順に選択される２回目の垂直走査がなされる。同様に、３回目の垂直走査期間が終了すると、スタートパルスが再び「１」になる。このとき、図４（ｃ）に示す対向電極電源制御パルスは、「０」から「１」に変化する。これにより、タイミング発生回路１１のＣＰＵ５０は、対向電極電源制御パルスの信号「１」により、上記同期信号およびクロック信号に同期して上記コモン振り駆動を行うために、図３に示すＶＣＯＭ端子４６に供給する電圧（コモン電位ＶＣＯＭ）を、１水平走査期間ごとに低い電位と高い電位との間で切り換えるようになっている。
【００４４】
こうして、本例では、電源ＶＤＤＸＹがオンにされた後、３回の垂直走査期間が経過してから、共通電極３０の電位（コモン電位ＶＣＯＭ）を１水平走査期間ごとに交互に変位させる動作が開始される。また、本例において、電源ＶＤＤＸＹがオンにされた後、３回の垂直走査期間が経過してから前記動作を開始させる対向電極電源制御手段は、タイミング発生回路１１のＣＰＵ５０とＲＯＭ５１とを含む。
【００４５】
以上のように構成された第１実施形態によれば、以下の作用効果を奏する。
○電源ＶＤＤＸＹがオンにされた後、つまり３回の垂直走査期間が経過してから、コモン電位ＶＣＯＭを１水平走査期間ごとに交互に変位させる動作を開始させるので、パネルに誤動作が生じない。
【００４６】
○対向電極電源制御手段を構成するタイミング発生回路１１のＣＰＵ５０とＲＯＭ５１は、同タイミング発生回路に元々あるＣＰＵで構成でき、既存の回路をそのまま使える。そのため、このようなパネルに誤動作が起きないようにするのに、上記従来技術のようにリセット信号を出力するリセット回路が不要である。したがって、回路規模や製造コストの増大を回避しつつ、パネルに誤動作が発生するのを抑制することができる。
【００４７】
[第２実施形態]
次に、第２実施形態に係る液晶装置１０を図６に基づいて説明する。なお、図６（ａ）
は、電源ＶＤＤＸＹがｔ１時点にオンにされた後におけるその電源電圧の変化を直線５２で示している。図６（ｂ）の符号５３は、電源ＶＤＤＸＹがオンにされた後、タイミング発生回路１１から走査線駆動回路３３へ順に供給されるスタートパルスＤＹを示している。また、図６（ｃ）の符号５４は、対向電極である共通電極３０の電位（コモン電位ＶＣＯＭ）の変化を示している。
【００４８】
本例の液晶装置１０では、電源ＶＤＤＸＹが完全に立ち上がった後、スタートパルスＤＹの３発目以降に、共通電極３０の電位（コモン電位ＶＣＯＭ）を１水平走査期間ごとに交互に変位させる動作を開始させる点にある。つまり、この液晶装置１０では、図６（ｃ）のｔ１時点に電源ＶＤＤＸＹがオンにされた後、コモン電位ＶＣＯＭを１水平走査期間ごとに交互に変位させる動作を、４回の垂直走査期間を待って（４Ｖ待って）開始させるようになっている。
【００４９】
これを実現するために、本例では、図４（ｃ）に示す対向電極電源制御パルスを、電源ＶＤＤＸＹがオンにされた後、４回の垂直走査期間が経過するまではクロック信号ＹＣＫに同期したタイミングで「０」を出力し、同期間が経過した時点に（４Ｖ待機してから）前記動作を開始させるための信号「１」を出力する２値のデータとする。
【００５０】
ここで、「スタートパルスの１発目」とは、電源ＶＤＤＸＹがｔ２時点に完全に立ち上がった後の、１個目のスタートパルスＤＹの立ち上がり（ｔ３時点）から次の立ち上がり（ｔ４時点）までの期間、つまり、１回目の垂直走査期間をいう。したがって、「スタートパルスの２発目」は、電源ＶＤＤＸＹが完全に立ち上がった後の２個目のスタートパルスＤＹの立ち上がり（ｔ５時点）から次の立ち上がりまでの期間（２回目の垂直走査期間）をいう。そして、「スタートパルスの３発目以降」は、電源ＶＤＤＸＹが完全に立ち上がった後の３個目のスタートパルスＤＹの立ち上がり（ｔ６時点）から次の立ち上がりまでの期間をいう。
【００５１】
パネルに誤動作が起きないようにするには、上記シフトレジスタによる正常な走査が完了することを確定してから、コモン電位ＶＣＯＭを１水平走査期間ごとに交互に変位させる動作を開始する必要がある。そのためには、電源ＶＤＤＸＹが完全に立ち上がった後、スタートパルスＤＹが不安定となるスタートパルスの１発目（ｔ３時点からｔ５時点までの期間）と、上記シフトレジスタが正常な走査を行うスタートパルスの２発目（ｔ５時点からｔ６時点までの期間）は、コモン電位ＶＣＯＭを１水平走査期間ごとに交互に変位させる動作を行わないようにする。
【００５２】
以上のように構成された第２実施形態によれば、以下の作用効果を奏する。
○電源ＶＤＤＸＹが完全に立ち上がった後、スタートパルスの３発目以降に前記動作を開始させるので、パネルに誤動作が生じない。また、このような誤動作が起きないようにするのに、上記従来技術のようにリセット信号を出力するリセット回路が不要である。したがって、回路規模や製造コストの増大を回避しつつ、パネルに誤動作が発生するのを抑制することができる。
【００５３】
○電源ＶＤＤＸＹが完全に立ち上がった後、スタートパルスの３発目以降に前記動作を開始させるためには、３回の垂直走査期間が必要である。また、電源ＶＤＤＸＹの立ち上がり時間は、図６に示すように７〜８ｍｓ程度必要となる。「電源のオン」という定義は、電源が完全に立ち上がった状態を示すわけではないので、電源がオンにされてから完全に立ち上がるまでの電源の立ち上がり時間もコモン電位ＶＣＯＭを１水平走査期間ごとに交互に変位させる動作の待機時間に含めるのが好ましい。フレーム周波数を例えば４０Ｈｚとすると、１回の垂直走査期間（１フレーム期間）は２５ｍｓ程度となる。
【００５４】
電源ＶＤＤＸＹがオンにされた後、４回の垂直走査期間（４Ｖ）が経過してから、つまり４Ｖ待機してから前記動作を開始させるようにしている。電源ＶＤＤＸＹの立ち上がり時間（７〜８ｍｓ程度）にマージンを持たせて同時間の分を１回の垂直走査期間（例えば２５ｍｓ程度）として、電源ＶＤＤＸＹがオンされた後、４回の垂直走査期間が経過してから前記動作を開始させることにより、パネルに誤動作が発生するのをさらに抑制することができる。これにより、より高品質な表示が可能な液晶装置を実現できる。
【００５５】
[ 電子機器] 
次に、上記第１実施形態で説明した液晶装置１０の液晶表示パネル２１を用いた電子機器について説明する。液晶装置１０は、図７に示すようなモバイル型のパーソナルコンピュータに適用できる。図７に示すパーソナルコンピュータ７０は、キーボード７１を備えた本体部７２と、液晶表示パネル２１を用いた表示ユニット７３とを備えている。
【００５６】
このパーソナルコンピュータ７０によれば、表示品質の高い表示が可能となる。
なお、この発明は以下のように変更して具体化することもできる。
・本発明は電源ＶＤＤＸＹがオンにされてから一定期間後に、コモン電位ＶＣＯＭを所定期間ごとに交互に変位させる動作を開始させる場合に広く適用される。例えば、その一定期間は上記各実施形態で説明した場合に限らず、電源ＶＤＤＸＹが完全に立ち上がった後、スタートパルスの３発目以降に前記動作を開始させる場合に本発明は広く適用可能である。
【００５７】
・上記各実施形態では、コモン電位ＶＣＯＭを水平走査期間ごとに反転させるコモン振り駆動を行う液晶装置１０を一例として説明したが、コモン電位ＶＣＯＭを所定期間としての１フレーム期間ごとに反転させるコモン振り駆動を行う液晶装置１０にも本発明は適用可能である。ここで、「１フレーム期間」は、走査線Ｙ１〜Ｙｎを順に選択して全ての画素２５の容量（液晶容量３１および蓄積容量３２）に映像信号を書き込むことで１画面の表示がなされる期間をいう。
【００５８】
・上記各実施形態では、電気光学装置の一例としての液晶装置に本発明を具体化した構成について説明したが、有機発光ダイオード装置、放電を用いた蛍光型電気光学装置（例えばプラズマディスプレイ）等、各種の電気光学置にも適用可能である。
【００５９】
・図７では、液晶装置１０を備えた電子機器の一例としてパーソナルコンピュータについて説明したが、上記第１各実施形態で説明した液晶装置１０は、パーソナルコンピュータに限らず、携帯電話、デジタルカメラ等の各種の電子機器に適用できる。
【図面の簡単な説明】
【００６０】
【図１】第１実施形態に係る液晶装置を示す平面図。
【図２】同液晶装置の液晶表示パネルの内部構造を示す断面図。
【図３】同液晶装置の電気的構成を示す概略構成図。
【図４】（ａ），（ｂ）および（ｃ）は同液晶装置で用いる初期立ち上げ用デジタルデータを示す説明図。
【図５】（ａ）および（ｂ）は同液晶装置で用いる通常時用用デジタルデータを示す説明図。
【図６】（ａ），（ｂ）および（ｃ）は第２実施形態に係る液晶装置の動作を示すタイミングチャート。
【図７】電子機器の一例を示す斜視図。
【符号の説明】
【００６１】
ＤＹ…スタートパルス、Ｘ１〜Ｘｍ…データ線、Ｙ１〜Ｙｎ…走査線、ＶＤＤＸＹ…パ
ネルロジック電源、ＶＣＯＭ…コモン電位（第２の電極の電位）、２９…画素電極（第１の電極）、３０…共通電極（第２の電極）。
【図１】
2006195121.tif 000003
【図２】
2006195121.tif 000004
【図３】
2006195121.tif 000005
【図４】
2006195121.tif 000006
【図５】
2006195121.tif 000007
【図６】
2006195121.tif 000008
【図７】
2006195121.tif 000009